【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  画像データに基づいて熱エネルギーによりインクを吐出させるための複数の吐出用ヒータと前記吐出用ヒータにより吐出されるインクを保温するための保温用ヒータとを備えたインクジェット記録ヘッドを用いて記録を行う記録装置であって、
前記複数の吐出用ヒータの駆動と同時に前記保温用ヒータを駆動する保温用ヒータ駆動手段と、
前記画像データに基づいて、前記複数の吐出用ヒータの内、同時に駆動する吐出用ヒータの数を計測する計測手段と、
前記計測手段によって計測された吐出用ヒータの数に基づいて、前記保温用ヒータ駆動手段による保温用ヒータの駆動を禁止する禁止手段とを有することを特徴とする記録装置。
【請求項２】  前記複数の吐出用ヒータを複数のブロックに分割し、ブロック毎に時分割駆動する駆動手段をさらに有することを特徴とする請求項１に記載の記録装置。
【請求項３】  前記計測手段は、前記ブロック毎に、前記画像データに基づいて同時駆動する吐出用ヒータの数を計測することを特徴とする請求項２に記載の記録装置。
【請求項４】  前記複数の吐出用ヒータを駆動するための複数のヒートパルス信号を格納する格納手段と、
前記計測手段によって計測された吐出用ヒータの数に基づいて、前記格納手段に格納されている複数のヒートパルス信号から所定のヒートパルス信号を選択する選択手段とをさらに有することを特徴とする請求項１乃至３のいずれか１項に記載の記録装置。
【請求項５】  前記保温用ヒータを駆動するか否かによって、前記計測手段によって計測された吐出用ヒータの数に対応する値を変更する変更手段をさらに有し、
前記禁止手段は、前記変更手段によって変更された吐出用ヒータの数に対応する値に基づいて、前記保温用ヒータ駆動手段による保温用ヒータの駆動を禁止することを特徴とする請求項１乃至４のいずれか１項に記載の記録装置。
【請求項６】  前記禁止手段は、前記計測手段によって計測された数の吐出用ヒータと前記保温用ヒータとを駆動することによって、同じ前記ブロックに属する全ての吐出用ヒータを駆動するために必要な電力を超える場合には、前記保温用ヒータ駆動手段による保温用ヒータの駆動を禁止することを特徴とする請求項２又は３に記載の記録装置。
【請求項７】  画像データに基づいて熱エネルギーによりインクを吐出させるための複数の吐出用ヒータと前記吐出用ヒータにより吐出されるインクを保温するための保温用ヒータとを備えたインクジェット記録ヘッドの保温制御方法であって、
前記画像データに基づいて、前記複数の吐出用ヒータの内、同時に駆動する吐出用ヒータの数を計測する計測工程と、
前記計測工程において計測された吐出用ヒータの数に基づいて、前記複数の吐出用ヒータの駆動と同時に前記保温用ヒータを駆動することを禁止する禁止工程とを有することを特徴とするインクジェット記録ヘッドの保温制御方法。
【手続補正２】
【補正対象書類名】明細書
【補正対象項目名】００１７
【補正方法】変更
【補正の内容】
【００１７】
即ち、画像データに基づいて熱エネルギーによりインクを吐出させるための複数の吐出用ヒータと前記吐出用ヒータにより吐出されるインクを保温するための保温用ヒータとを備えたインクジェット記録ヘッドを用いて記録を行う記録装置であって、前記複数の吐出用ヒータの駆動と同時に前記保温用ヒータを駆動する保温用ヒータ駆動手段と、前記画像データに基づいて、前記複数の吐出用ヒータの内、同時に駆動する吐出用ヒータの数を計測する計測手段と、前記計測手段によって計測された吐出用ヒータの数に基づいて、前記保温用ヒータ駆動手段による保温用ヒータの駆動を禁止する禁止手段とを有することを特徴とする記録装置を備える。
【手続補正３】
【補正対象書類名】明細書
【補正対象項目名】００１８
【補正方法】変更
【補正の内容】
【００１８】
さらに、前記複数の吐出用ヒータを複数のブロックに分割し、ブロック毎に時分割駆動する駆動手段を備え、その場合には、前記計測手段は、ブロック毎に、画像データに基づいて同時駆動する吐出用ヒータの数を計測すると良い。
【手続補正４】
【補正対象書類名】明細書
【補正対象項目名】００１９
【補正方法】変更
【補正の内容】
【００１９】
またさらに、前記複数の吐出用ヒータを駆動するための複数のヒートパルス信号を格納する格納手段と、計測手段によって計測された吐出用ヒータの数に基づいて、その格納手段に格納されている複数のヒートパルス信号から所定のヒートパルス信号を選択する選択手段とを備えると良い。
【手続補正５】
【補正対象書類名】明細書
【補正対象項目名】００２０
【補正方法】変更
【補正の内容】
【００２０】
またさらに前記保温用ヒータを駆動するか否かによって、前記計測手段によって計測された吐出用ヒータの数に対応する値を変更する変更手段を備え、前記禁止手段が、前記変更手段によって変更された吐出用ヒータの数に対応する値に基づいて、前記保温用ヒータ駆動手段による保温用ヒータの駆動を禁止するとさらに良い。
【手続補正６】
【補正対象書類名】明細書
【補正対象項目名】００２１
【補正方法】変更
【補正の内容】
【００２１】
さて禁止手段では、前記計測手段によって計測された数の吐出用ヒータと前記保温用ヒータとを駆動することによって、同じ前記ブロックに属する全ての吐出用ヒータを駆動するために必要な電力を超える場合には、前記保温用ヒータ駆動手段による保温用ヒータの駆動を禁止することが望ましい。
【手続補正７】
【補正対象書類名】明細書
【補正対象項目名】００２２
【補正方法】変更
【補正の内容】
【００２２】
また他の発明によれば、画像データに基づいて熱エネルギーによりインクを吐出させるための複数の吐出用ヒータと前記吐出用ヒータにより吐出されるインクを保温するための保温用ヒータとを備えたインクジェット記録ヘッドの保温制御方法であって、前記画像データに基づいて、前記複数の吐出用ヒータの内、同時に駆動する吐出用ヒータの数を計測する計測工程と、前記計測工程において計測された吐出用ヒータの数に基づいて、前記複数の吐出用ヒータの駆動と同時に前記保温用ヒータを駆動することを禁止する禁止工程とを有することを特徴とするインクジェット記録ヘッドの保温制御方法を備える。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
以上の構成により本発明は、画像データに基づいて熱エネルギーによりインクを加熱してインクを記録媒体に吐出させて記録を行うための複数の吐出用ヒータとそのインクを保温するための保温用ヒータとを備えたインクジェット記録ヘッドを用いた記録において、画像データに基づいて、複数の吐出用ヒータの内、同時に駆動する記録素子の数を計測し、その吐出用ヒータの数に基づいてこれら複数の吐出用ヒータの駆動と同時に保温用ヒータを駆動することを禁止する。
【手続補正１１】
【補正対象書類名】明細書
【補正対象項目名】０１０８
【補正方法】変更
【補正の内容】
【０１０８】
【発明の効果】
以上説明したように本発明によれば、保温を考慮した余分な電源が不用になり、より小さな電源で保温を行いつつも安定的なインク吐出を行うことができるという効果がある。